Podtech/llm-jp-corpus-v4-ja_patent huggingface dataset:
【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
周波数の設定値を発振回路部に入力することにより当該発振回路部から前記周波数の設定値に応じた周波数の出力が得られるように構成された発振器において、
周波数の設定値を特定するための値をディジタル値で出力する設定値出力部と、
前記設定値出力部から出力されたディジタル値のビットのうち下位ビットのディジタル値を内挿する内挿回路部と、
前記内挿回路部の出力値と、前記設定値出力部から出力されたディジタル値のうちの上位ビットのディジタル値と、を加算し、周波数の設定値を特定するための加算値を出力するための加算部と、を備え、
前記内挿回路部から出力される信号は、クロック信号により同期して出力される、互いに異なる第１の値と第２の値との時系列データであって、第１の値と第２の値との各出力回数は、前記下位ビットのディジタル値に対応する比率により決定されることを特徴とする発振器。
【請求項２】
公称周波数に対応するディジタル値を出力する公称周波数出力部と、
公称周波数に対する周波数の調整量を周波数の比率により設定するために、当該比率に対応するディジタル値を出力する周波数調整量出力部と、を備え、
前記設定値出力部は、前記周波数調整量出力部に相当するものであることを特徴とする請求項１記載の発振器。
【請求項３】
前記加算部から出力されたディジタル値に乗算すべきゲインに対応するディジタル値を出力するゲイン出力部と、
前記加算部から出力されたディジタル値に前記ゲイン出力部から出力されたゲインを乗算する乗算部と、
前記公称周波数出力部から出力されたディジタル値と前記乗算部から出力されたディジタル値とを加算して周波数の設定信号として出力する加算部と、を備え、
前記周波数調整量出力部にて設定可能なディジタル値の最小値に、周波数の比率で表わされる周波数可変幅の下限値を割り当てると共に、周波数調整量出力部にて設定可能なディジタル値の最大値に、周波数の比率で表わされる周波数可変幅の上限値を割り当てるように、前記ゲインの値が決められていることを特徴とする請求項２記載の発振器。
【請求項４】
前記ゲイン出力部により出力されたゲインは、１よりも大きな第１のゲインと２の指数の逆数である第２のゲインと、を含み、
前記乗算部にて得られる値は、周波数調整量出力部から出力されたディジタル値と第１のゲインと第２のゲインとを乗算した値であることを特徴とする請求項３記載の発振器。
【請求項５】
前記第１の値及び第２の値の一方は、十進値で−１であり、他方は十進値で＋１であることを特徴とする請求項１ないし４のいずれか一項に記載の発振器。
【請求項６】
前記内挿回路部は、予め設定された時間だけデューティー比の平均値が前記下位ビットのディジタル値に応じた値となるＰＷＭ信号を生成するデルタシグマ回路と、前記ＰＷＭ信号の「Ｈ」レベル及び「Ｌ」レベルの一方により前記第１の値を出力し、他方により第２の値を出力する回路と、を備えていることを特徴とする請求項１ないし５のいずれか一項に記載の発振器。
【手続補正書】
【提出日】平成28年12月13日(2016.12.13)
【手続補正１】
【補正対象書類名】明細書
【補正対象項目名】発明の名称
【補正方法】変更
【補正の内容】
【発明の名称】原稿を読取可能な画像処理装置、画像処理装置の制御方法、およびプログラム
【手続補正２】
【補正対象書類名】明細書
【補正対象項目名】０００１
【補正方法】変更
【補正の内容】
【０００１】
本発明は、原稿を読取可能な画像処理装置、画像処理装置の制御方法、およびプログラムに関するものである。
【手続補正３】
【補正対象書類名】明細書
【補正対象項目名】０００６
【補正方法】変更
【補正の内容】
【０００６】
本発明に係る装置は、原稿を読み取って生成された画像データを記憶部に記憶し、前記記憶部に記憶された画像データに基づく印刷処理を実行する画像処理装置であって、前記画像データがカラー画像データか否かを判定する判定手段と、前記判定手段による判定結果に基づいて前記画像データに画像処理を行う画像処理手段と、前記画像データの前記記憶部に記憶されたライン数が前記画像データの１ページのライン数より少ない所定のライン数に到達したことに従って、前記判定結果が出ていれば前記画像データに基づく印刷を開始し、前記判定結果が出ていなければ前記判定結果が出た後に前記画像データに基づく印刷を開始する制御手段とを有することを特徴とする。
【手続補正４】
【補正対象書類名】明細書
【補正対象項目名】０００７
【補正方法】変更
【補正の内容】
【０００７】
本発明により、前記画像データの記憶部に記憶されたライン数が前記画像データの１ページのライン数より少ない所定のライン数に到達したことに従って、画像データに基づく印刷を開始可能にし、画像データがカラー画像データか否かの判定結果が出た後に、画像データに判定結果に基づく画像処理を実行し、印刷を開始することができるようになる。
【手続補正５】
【補正対象書類名】特許請求の範囲
【補正対象項目名】全文
【補正方法】変更
【補正の内容】
【特許請求の範囲】
【請求項１】
原稿を読み取って生成された画像データを記憶部に記憶し、前記記憶部に記憶された画像データに基づく印刷処理を実行する画像処理装置であって、
前記画像データがカラー画像データか否かを判定する判定手段と、
前記判定手段による判定結果に基づいて前記画像データに画像処理を行う画像処理手段と、
前記画像データの前記記憶部に記憶されたライン数が前記画像データの１ページのライン数より少ない所定のライン数に到達したことに従って、前記判定結果が出ていれば前記画像データに基づく印刷を開始し、前記判定結果が出ていなければ前記判定結果が出た後に前記画像データに基づく印刷を開始する制御手段と
を有することを特徴とする画像処理装置。
【請求項２】
自動カラー判定モードと、カラーモードとを選択する選択手段をさらに有し、
前記判定手段は、前記自動カラー判定モードが選択されている場合に、前記画像データがカラー画像データか否かを判定することを特徴とする請求項１に記載の画像処理装置。
【請求項３】
カラーモードが選択されている場合に、前記制御手段は、前記画像データの前記記憶部に記憶されたライン数が前記画像データの１ページのライン数より少ない所定のライン数に到達したときに前記画像データに基づく印刷を開始することを特徴とする請求項２に記載の画像処理装置。
【請求項４】
前記画像処理は、前記印刷処理のための色変換処理であることを特徴とする請求項１乃至３のいずれか１項に記載の画像処理装置。
【請求項５】
原稿の読取のスピードと、印刷のスピードに基づいて、前記所定のライン数を決定する決定手段をさらに有することを特徴とする請求項１乃至４のいずれか１項に記載の画像処理装置。
【請求項６】
原稿を読み取って生成された画像データを記憶部に記憶し、前記記憶部に記憶された画像データに基づく印刷処理を実行する画像処理装置の制御方法であって、
前記画像データがカラー画像データか否かを判定する判定工程と、
前記判定工程における判定結果に基づいて前記画像データに画像処理を行う画像処理工程と、
前記画像データの前記記憶部に記憶されたライン数が前記画像データの１ページのライン数より少ない所定のライン数に到達したことに従って、前記判定結果が出ていれば前記画像データに基づく印刷を開始し、前記判定結果が出ていなければ前記判定結果が出た後に前記画像データに基づく印刷を開始する制御工程と
を有することを特徴とする画像処理装置の制御方法。
【請求項７】
請求項６に記載の制御方法を、コンピュータに実行させるためのプログラム。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
撮像手段および接眼ファインダーを有する撮像装置であって、
前記撮像手段により取得された画像を、前記接眼ファインダー内に設置された第１の表示装置および前記接眼ファインダー外に設置された第２の表示装置それぞれに表示するよう制御する表示制御手段と、
前記接眼ファインダーへの接眼の有無を検知する接眼検知手段を備え、
前記接眼ファインダーへの非接眼が検知されてから第１の時間が経過すると、前記表示制御手段は、前記画像が前記第１の表示装置で非表示になるよう制御し、
前記接眼ファインダーへの非接眼が検知されてから第２の時間が経過すると、前記表示制御手段は、前記画像が前記第２の表示装置で非表示になるよう制御し、
前記第１の時間は前記第２の時間よりも短いことを特徴とする撮像装置。
【請求項２】
前記接眼ファインダーへの非接眼が検知されてから前記第１の時間が経過する前に、前記接眼ファインダーへの接眼が検知されると、前記表示制御手段は、前記画像が前記第２の表示装置で非表示になるよう制御することを特徴とする請求項１に記載の撮像装置。
【請求項３】
前記第１の表示装置に表示される画像は、前記撮像手段によりリアルタイムに取得されるライブビュー画像であり、
前記第２の表示装置に表示される画像は、前記撮像手段により取得されて記録媒体に記録されている画像であることを特徴とする請求項１または２に記載の撮像装置。
【請求項４】
前記画像は、前記第１の表示装置および前記第２の表示装置それぞれに送信されることによって前記第１の表示装置および前記第２の表示装置それぞれに表示されることを特徴とする請求項１乃至３のいずれか１項に記載の撮像装置。
【請求項５】
前記撮像手段により取得された画像を記録媒体に記録するための撮像指示の入力を検知する指示検知手段をさらに備え、
前記撮像指示の入力を検知してから所定時間が経過する前に、前記接眼ファインダーへの非接眼が検知されると、前記表示制御手段は、前記画像を前記第２の表示装置に表示するよう制御することを特徴とする請求項１乃至４のいずれか１項に記載の撮像装置。
【請求項６】
撮像手段および接眼ファインダーを有する撮像装置であって、
前記撮像手段により取得された画像を、前記接眼ファインダー内に設置された第１の表示装置および前記接眼ファインダー外に設置された第２の表示装置それぞれに表示するよう制御する表示制御手段と、
前記接眼ファインダーへの接眼の有無を検知する接眼検知手段を備え、
前記接眼ファインダーへの非接眼が検知されてから第１の時間が経過すると、前記表示制御手段は、前記画像が前記第１の表示装置で非表示になるよう制御し、
前記接眼ファインダーへの非接眼が検知されてから第２の時間が経過すると、前記表示制御手段は、前記画像が前記第２の表示装置で非表示になるよう制御し、
前記第１の時間は前記第２の時間よりも長いことを特徴とする撮像装置。
【請求項７】
前記第１の表示装置に表示される画像は、前記撮像手段によりリアルタイムに取得されるライブビュー画像であり、
前記第２の表示装置に表示される画像は、前記撮像手段により取得されて記録媒体に記録されている画像であることを特徴とする請求項６に記載の撮像装置。
【請求項８】
前記画像は、前記第１の表示装置および前記第２の表示装置それぞれに送信されることによって前記第１の表示装置および前記第２の表示装置それぞれに表示されることを特徴とする請求項６または７に記載の撮像装置。
【請求項９】
前記撮像手段により取得された画像を記録媒体に記録するための撮像指示の入力を検知する指示検知手段をさらに備え、
前記撮像指示の入力を検知してから所定時間が経過する前に、前記接眼ファインダーへの非接眼が検知されると、前記表示制御手段は、前記画像を前記第２の表示装置に表示するよう制御することを特徴とする請求項６乃至８のいずれか１項に記載の撮像装置。
【請求項１０】
撮像手段および接眼ファインダーを有する撮像装置の制御方法であって、
前記撮像手段により取得された画像を、前記接眼ファインダー内に設置された第１の表示装置および前記接眼ファインダー外に設置された第２の表示装置それぞれに表示するよう制御するステップと、
前記接眼ファインダーへの接眼の有無を検知するステップと、
前記接眼ファインダーへの非接眼が検知されてから第１の時間が経過すると、前記画像が前記第１の表示装置で非表示になるよう制御するステップと、
前記接眼ファインダーへの非接眼が検知されてから第２の時間が経過すると、前記画像が前記第２の表示装置で非表示になるよう制御するステップを備え、
前記第１の時間は前記第２の時間よりも短いことを特徴とする制御方法。
【請求項１１】
撮像手段および接眼ファインダーを有する撮像装置の制御方法であって、
前記撮像手段により取得された画像を、前記接眼ファインダー内に設置された第１の表示装置および前記接眼ファインダー外に設置された第２の表示装置それぞれに表示するよう制御するステップと、
前記接眼ファインダーへの接眼の有無を検知するステップと、
前記接眼ファインダーへの非接眼が検知されてから第１の時間が経過すると、前記画像が前記第１の表示装置で非表示になるよう制御するステップと、
前記接眼ファインダーへの非接眼が検知されてから第２の時間が経過すると、前記画像が前記第２の表示装置で非表示になるよう制御するステップとを備え、
前記第１の時間は前記第２の時間よりも長いことを特徴とする制御方法。
【請求項１２】
コンピュータを請求項１乃至９のいずれか１項に記載の撮像装置の各手段として機能させるプログラム。
【手続補正２】
【補正対象書類名】明細書
【補正対象項目名】０００６
【補正方法】変更
【補正の内容】
【０００６】
そこで、本発明は、撮像手段および接眼ファインダーを有する撮像装置であって、前記撮像手段により取得された画像を、前記接眼ファインダー内に設置された第１の表示装置および前記接眼ファインダー外に設置された第２の表示装置それぞれに表示するよう制御する表示制御手段と、前記接眼ファインダーへの接眼の有無を検知する接眼検知手段を備え、前記接眼ファインダーへの非接眼が検知されてから第１の時間が経過すると、前記表示制御手段は、前記画像が前記第１の表示装置で非表示になるよう制御し、前記接眼ファインダーへの非接眼が検知されてから第２の時間が経過すると、前記表示制御手段は、前記画像が前記第２の表示装置で非表示になるよう制御し、前記第１の時間は前記第２の時間よりも短いことを特徴とする。
【手続補正書】
【提出日】平成29年8月18日(2017.8.18)
【手続補正１】
【補正対象書類名】特許請求の範囲
【補正対象項目名】全文
【補正方法】変更
【補正の内容】
【特許請求の範囲】
【請求項１】
半導体、光学及び磁性基板の少なくとも１つを平坦化するのに適した研磨パッドであって、研磨パッドは、イソシアネート末端反応生成物を形成するためのポリプロピレングリコールとトルエンジイソシアネートとのプレポリマー反応から形成されるキャスト成形ポリウレタンポリマー材料を含み、トルエンジイソシアネートは、５重量％未満の脂肪族イソシアネートを有し、イソシアネート末端反応生成物は、５．５５〜５．８５重量％の未反応ＮＣＯを有し、イソシアネート末端反応生成物は、４，４’−メチレン−ビス（３−クロロ−２，６−ジエチルアニリン）硬化剤で硬化され、硬化ポリマーは、非多孔性状態で測定すると、ねじりフィクスチャーで２０及び１００℃からの０．０４〜０．１０のtan δ（ASTM 5279）、室温で１４０〜２４０MPaのヤング率（ASTM-D412）及び室温で４４〜５６のショアＤ硬度（ASTM-D2240）を有する、研磨パッド。
【請求項２】
研磨パッドが、非多孔性である、請求項１に記載の研磨パッド。
【請求項３】
イソシアネート末端反応生成物及び４，４’−メチレン−ビス（３−クロロ−２，６−ジエチルアニリン）が、８０〜１２０％のＮＣＯに対するＮＨ２の化学量論比を有する、請求項１に記載の研磨パッド。
【請求項４】
研磨パッドが、２００μm未満の平均径を有する細孔を包含する、請求項１に記載の研磨パッド。
【請求項５】
研磨パッドが、細孔を形成するためのポリマーミクロスフェアを包含する、請求項４に記載の研磨パッド。
【請求項６】
半導体、光学及び磁性基板の少なくとも１つを平坦化するのに適した研磨パッドであって、研磨パッドは、イソシアネート末端反応生成物を形成するためのポリプロピレングリコールとトルエンジイソシアネートとのプレポリマー反応から形成されるキャスト成形ポリウレタンポリマー材料を含み、トルエンジイソシアネートは、５重量％未満の脂肪族イソシアネートを有し、イソシアネート末端反応生成物は、５．５５〜５．８５重量％の未反応ＮＣＯを有し、イソシアネート末端反応生成物は、４，４’−メチレン−ビス（３−クロロ−２，６−ジエチルアニリン）硬化剤で硬化され、硬化ポリマーは、非多孔性状態で測定すると、ねじりフィクスチャーで２０及び１００℃からの０．０４〜０．１０のtan δ（ASTM 5279）、室温で１８０〜２４０MPaのヤング率（ASTM-D412）及び室温で４６〜５６のショアＤ硬度（ASTM-D2240）を有する、研磨パッド。
【請求項７】
研磨パッドが、非多孔性である、請求項６に記載の研磨パッド。
【請求項８】
イソシアネート末端反応生成物及び４，４’−メチレン−ビス（３−クロロ−２，６−ジエチルアニリン）が、１００〜１１２％のＮＣＯに対するＮＨ２の化学量論比を有する、請求項６に記載の研磨パッド。
【請求項９】
研磨パッドが、５〜１００μmの平均径を有する細孔を包含する、請求項６に記載の研磨パッド。
【請求項１０】
研磨パッドが、細孔を形成するためのポリマーミクロスフェアを包含する、請求項９に記載の研磨パッド。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域内に設けられ、遊技球が入球可能な始動口と、
前記始動口への遊技球の入球を契機として乱数値を取得する乱数取得手段と、
前記乱数取得手段により取得した乱数値に基づき当否判定を実行する当否判定手段と、
前記乱数取得手段により乱数値が取得された場合、変動開始条件を充足するまでの間、当該取得した乱数値を保留情報として所定の上限数まで記憶する保留記憶手段と、
前記当否判定の結果を示す図柄が変動表示および停止表示される図柄表示装置と、
前記当否判定の結果と所定の変動選択状態とに応じて前記図柄の変動表示時間を選択する変動表示時間選択手段と、
前記当否判定の結果が大当りに該当する場合に、遊技者にとって有利な特別遊技を実行する特別遊技実行手段とを備え、
複数種の変動選択状態を有し、複数種の変動選択状態の間で変動選択状態を移行可能とするよう構成されており、
変動選択状態の種類に応じて変動表示時間の選択傾向が異なり、
所定の変動選択状態において、前記当否判定の結果が大当りとなり、前記図柄が大当り図柄にて停止表示される場合は、前記変動開始条件が成立した時点における保留情報の個数に依らず変動表示時間の選択傾向は同一であるが、前記当否判定の結果がはずれとなり、前記図柄がはずれ図柄にて停止表示される場合は、前記変動開始条件が成立した時点における保留情報の個数が第１個数であるか当該第１個数よりも多い第２個数であるかによって変動表示時間の選択傾向が異なり、
複数種の大当り図柄として、大当り図柄Ａと大当り図柄Ｂと大当り図柄Ｃとを少なくとも有し、
前記所定の変動選択状態において、前記当否判定の結果が大当りとなり、前記図柄が大当り図柄Ａで停止表示される場合の変動表示時間の選択傾向と、前記当否判定の結果が大当りとなり、前記図柄が大当り図柄Ｂで停止表示される場合の変動表示時間の選択傾向とが同一である一方、
前記所定の変動選択状態において、前記当否判定の結果が大当りとなり、前記図柄が大当り図柄Ｂで停止表示される場合の変動表示時間の選択傾向と、前記当否判定の結果が大当りとなり、前記図柄が大当り図柄Ｃで停止表示される場合の変動表示時間の選択傾向とが異なるよう構成されていることを特徴とする遊技機。
【手続補正２】
【補正対象書類名】明細書
【補正対象項目名】０００２
【補正方法】変更
【補正の内容】
【０００２】
例えば、ぱちんこ遊技機では、始動口への遊技球の入球を契機とした当否抽選が実行されるとともに、その抽選結果に応じて特別図柄と称される図柄の停止図柄および変動パターンが選択されて、その後、特別図柄の変動表示が開始されるようになっている（例えば、特許文献１を参照）。
【手続補正３】
【補正対象書類名】明細書
【補正対象項目名】０００４
【補正方法】変更
【補正の内容】
【０００４】
このような構成を採用する遊技機は、従来機種として既に多数存在しているため、従来機種との差別化を図るためには、遊技の興趣性の向上が求められている。
【手続補正４】
【補正対象書類名】明細書
【補正対象項目名】０００５
【補正方法】変更
【補正の内容】
【０００５】
本発明は、このような課題に鑑みてなされたものであり、遊技の興趣性の向上を図ることのできる遊技機を提供することを目的とする。
【手続補正５】
【補正対象書類名】明細書
【補正対象項目名】０００６
【補正方法】変更
【補正の内容】
【０００６】
このような目的達成のために、本発明に係る、遊技機は、遊技領域が形成された遊技盤と、遊技領域内に設けられ、遊技球が入球可能な始動口と、前記始動口への遊技球の入球を契機として乱数値を取得する乱数取得手段と、前記乱数取得手段により取得した乱数値に基づき当否判定を実行する当否判定手段と、前記乱数取得手段により乱数値が取得された場合、変動開始条件を充足するまでの間、当該取得した乱数値を保留情報として所定の上限数まで記憶する保留記憶手段と、前記当否判定の結果を示す図柄が変動表示および停止表示される図柄表示装置と、前記当否判定の結果と所定の変動選択状態とに応じて前記図柄の変動表示時間を選択する変動表示時間選択手段と、前記当否判定の結果が大当りに該当する場合に、遊技者にとって有利な特別遊技を実行する特別遊技実行手段とを備え、複数種の変動選択状態を有し、複数種の変動選択状態の間で変動選択状態を移行可能とするよう構成されており、変動選択状態の種類に応じて変動表示時間の選択傾向が異なり、所定の変動選択状態において、前記当否判定の結果が大当りとなり、前記図柄が大当り図柄にて停止表示される場合は、前記変動開始条件が成立した時点における保留情報の個数に依らず変動表示時間の選択傾向は同一であるが、前記当否判定の結果がはずれとなり、前記図柄がはずれ図柄にて停止表示される場合は、前記変動開始条件が成立した時点における保留情報の個数が第１個数であるか当該第１個数よりも多い第２個数であるかによって変動表示時間の選択傾向が異なり、複数種の大当り図柄として、大当り図柄Ａと大当り図柄Ｂと大当り図柄Ｃとを少なくとも有し、前記所定の変動選択状態において、前記当否判定の結果が大当りとなり、前記図柄が大当り図柄Ａで停止表示される場合の変動表示時間の選択傾向と、前記当否判定の結果が大当りとなり、前記図柄が大当り図柄Ｂで停止表示される場合の変動表示時間の選択傾向とが同一である一方、前記所定の変動選択状態において、前記当否判定の結果が大当りとなり、前記図柄が大当り図柄Ｂで停止表示される場合の変動表示時間の選択傾向と、前記当否判定の結果が大当りとなり、前記図柄が大当り図柄Ｃで停止表示される場合の変動表示時間の選択傾向とが異なるよう構成されていることを特徴とする。
【手続補正６】
【補正対象書類名】明細書
【補正対象項目名】０００７
【補正方法】変更
【補正の内容】
【０００７】
本発明に係る遊技機によれば、遊技の興趣性の向上を図ることが可能である。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域内に設けられ、遊技球が入球可能な始動口と、
所定の図柄を変動表示する図柄表示手段と、
遊技進行の制御を司る主制御手段と、
前記主制御手段からの指令に基づき遊技に関連する演出の制御を司る演出制御手段とを有し、
前記主制御手段において、前記遊技進行の制御として、電源投入後に開始されるメイン処理と、一定周期毎に開始されるタイマ割込み処理とが実行される構成の遊技機であって、
前記主制御手段は、
前記始動口への遊技球の入球を契機として乱数値を取得する乱数取得手段と、
前記乱数取得手段により取得した乱数値に基づき当否判定を実行する当否判定手段と、
前記乱数取得手段により乱数値が取得された場合、前記変動開始条件が成立するまでの間、当該取得した乱数値を保留情報として所定の上限数まで記憶する保留記憶手段と、
前記当否判定の結果および所定の変動選択状態に応じて、前記図柄の変動表示時間を選択する変動表示時間選択手段とを備え、
前記タイマ割込み処理は、前記図柄表示手段において前記図柄の変動表示を開始させるための変動開始条件が成立しているか否かを判定する第１の処理と、前記変動開始条件が成立している場合に前記図柄表示手段に前記図柄の変動表示を開始させる第２の処理とを含み、
前記主制御手段は、前記第１の処理で前記変動開始条件が成立していると判定した場合には同一の前記タイマ割込み処理内では前記第２の処理を実行せず、次回以降の前記タイマ割込み処理内で前記第２の処理を実行するよう構成されており、
複数種の変動選択状態を有し、複数種の変動選択状態の間で変動選択状態を移行可能とするよう構成されており、
変動選択状態の種類に応じて変動表示時間の選択傾向が異なり、
所定の変動選択状態において、前記当否判定の結果が大当りとなり、前記図柄が大当り図柄にて停止表示される場合は、前記変動開始条件が成立した時点における保留情報の個数に依らず変動表示時間の選択傾向は同一であるが、前記当否判定の結果がはずれとなり、前記図柄がはずれ図柄にて停止表示される場合は、前記変動開始条件が成立した時点における保留情報の個数が第１個数であるか当該第１個数よりも多い第２個数であるかによって変動表示時間の選択傾向が異なり、
前記所定の変動選択状態において、前記変動開始条件が成立した時点における保留情報の個数が前記第１個数である場合に選択される最長の変動表示時間と、前記変動開始条件が成立した時点における保留情報の個数が前記第２個数である場合に選択される最長の変動表示時間とは同一の変動表示時間である一方、
前記所定の変動選択状態において、前記変動開始条件が成立した時点における保留情報の個数が前記第１個数である場合に選択される最短の変動表示時間と、前記変動開始条件が成立した時点における保留情報の個数が前記第２個数である場合に選択される最短の変動表示時間とは異なる変動表示時間であるよう構成されていることを特徴とする遊技機。
【手続補正２】
【補正対象書類名】明細書
【補正対象項目名】０００６
【補正方法】変更
【補正の内容】
【０００６】
このような目的達成のために、本発明に係る、遊技機は、遊技領域が形成された遊技盤と、遊技領域内に設けられ、遊技球が入球可能な始動口と、所定の図柄を変動表示する図柄表示手段と、遊技進行の制御を司る主制御手段と、主制御手段からの指令に基づき遊技に関連する演出の制御を司る演出制御手段とを有し、主制御手段において、遊技進行の制御として、電源投入後に開始されるメイン処理と、一定周期毎に開始されるタイマ割込み処理とが実行される構成の遊技機であって、前記主制御手段は、前記始動口への遊技球の入球を契機として乱数値を取得する乱数取得手段と、前記乱数取得手段により取得した乱数値に基づき当否判定を実行する当否判定手段と、前記乱数取得手段により乱数値が取得された場合、前記変動開始条件が成立するまでの間、当該取得した乱数値を保留情報として所定の上限数まで記憶する保留記憶手段と、前記当否判定の結果および所定の変動選択状態に応じて、前記図柄の変動表示時間を選択する変動表示時間選択手段とを備え、タイマ割込み処理は、図柄表示手段において図柄の変動表示を開始させるための変動開始条件が成立しているか否かを判定する第１の処理と、変動開始条件が成立している場合に図柄表示手段に図柄の変動表示を開始させる第２の処理とを含み、主制御手段は、第１の処理で変動開始条件が成立していると判定した場合には同一のタイマ割込み処理内では第２の処理を実行せず、次回以降のタイマ割込み処理内で第２の処理を実行するよう構成されており、複数種の変動選択状態を有し、複数種の変動選択状態の間で変動選択状態を移行可能とするよう構成されており、変動選択状態の種類に応じて変動表示時間の選択傾向が異なり、所定の変動選択状態において、前記当否判定の結果が大当りとなり、前記図柄が大当り図柄にて停止表示される場合は、前記変動開始条件が成立した時点における保留情報の個数に依らず変動表示時間の選択傾向は同一であるが、前記当否判定の結果がはずれとなり、前記図柄がはずれ図柄にて停止表示される場合は、前記変動開始条件が成立した時点における保留情報の個数が第１個数であるか当該第１個数よりも多い第２個数であるかによって変動表示時間の選択傾向が異なり、前記所定の変動選択状態において、前記変動開始条件が成立した時点における保留情報の個数が前記第１個数である場合に選択される最長の変動表示時間と、前記変動開始条件が成立した時点における保留情報の個数が前記第２個数である場合に選択される最長の変動表示時間とは同一の変動表示時間である一方、
前記所定の変動選択状態において、前記変動開始条件が成立した時点における保留情報の個数が前記第１個数である場合に選択される最短の変動表示時間と、前記変動開始条件が成立した時点における保留情報の個数が前記第２個数である場合に選択される最短の変動表示時間とは異なる変動表示時間であるよう構成されていることを特徴とする。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域内に設けられ、遊技球が入球可能な始動口と、
所定の図柄を変動表示する図柄表示手段と、
遊技進行の制御を司る主制御手段と、
前記主制御手段からの指令に基づき遊技に関連する演出の制御を司る演出制御手段とを有し、
前記主制御手段において、前記遊技進行の制御として、電源投入後に開始されるメイン処理と、一定周期毎に開始されるタイマ割込み処理とが実行される構成の遊技機であって、
前記タイマ割込み処理は、前記図柄表示手段において前記図柄の変動表示を開始させるための変動開始条件が成立しているか否かを判定する第１の処理と、前記変動開始条件が成立している場合に前記図柄表示手段に前記図柄の変動表示を開始させる第２の処理とを含み、
前記主制御手段は、前記第１の処理で前記変動開始条件が成立していると判定した場合には同一の前記タイマ割込み処理内では前記第２の処理を実行せず、次回以降の前記タイマ割込み処理内で前記第２の処理を実行するよう構成されており、
複数種のエラーのうち特定のエラーが先行のタイマ割込み処理と後続のタイマ割込み処理との間で検出された場合は、先行のタイマ割込み処理において前記変動開始条件が成立していると判定した場合であっても、後続のタイマ割込み処理において前記図柄の変動表示を開始させないよう構成されていることを特徴とする遊技機。
【手続補正２】
【補正対象書類名】明細書
【補正対象項目名】０００６
【補正方法】変更
【補正の内容】
【０００６】
このような目的達成のために、本発明に係る、遊技機は、遊技領域が形成された遊技盤と、遊技領域内に設けられ、遊技球が入球可能な始動口と、所定の図柄を変動表示する図柄表示手段と、遊技進行の制御を司る主制御手段と、主制御手段からの指令に基づき遊技に関連する演出の制御を司る演出制御手段とを有し、主制御手段において、遊技進行の制御として、電源投入後に開始されるメイン処理と、一定周期毎に開始されるタイマ割込み処理とが実行される構成の遊技機であって、タイマ割込み処理は、図柄表示手段において図柄の変動表示を開始させるための変動開始条件が成立しているか否かを判定する第１の処理と、変動開始条件が成立している場合に図柄表示手段に図柄の変動表示を開始させる第２の処理とを含み、主制御手段は、第１の処理で変動開始条件が成立していると判定した場合には同一のタイマ割込み処理内では第２の処理を実行せず、次回以降のタイマ割込み処理内で第２の処理を実行するよう構成されており、複数種のエラーのうち特定のエラーが先行のタイマ割込み処理と後続のタイマ割込み処理との間で検出された場合は、先行のタイマ割込み処理において前記変動開始条件が成立していると判定した場合であっても、後続のタイマ割込み処理において前記図柄の変動表示を開始させないよう構成されていることを特徴とする。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
遊技に必要な電力の供給を行う電源手段と、前記遊技を司る主制御手段と、前記主制御手段により制御される特別図柄表示手段と、前記主制御手段と通信可能に接続され、前記主制御手段からの演出に係る指令に基づいて前記遊技に伴う演出制御を実行する演出制御手段と、を備え、
前記主制御手段は、
前記電源手段からの電力の供給開始に伴い制御開始処理を実行する制御開始処理実行手段と、
遊技進行のための遊技進行割込み処理を所定の周期で実行する遊技進行割込み処理実行手段と、
遊技領域に発射された遊技媒体が前記遊技領域を流下して所定の始動領域を通過したことに基づき、前記遊技進行割込み処理において、大当り抽選に関係する乱数を取得する乱数取得手段と、大当り抽選判定を行う大当り判定手段と、を備え、
前記遊技進行割込み処理により、所定の特別図柄変動開始条件が成立した場合に、前記特別図柄表示手段に、前記大当り抽選判定の結果を表す特別図柄の変動表示及び停止表示を行わせ、
前記特別図柄を変動開始させることを決定した前記遊技進行割込み処理内では、前記変動表示に係る変動パターンの決定を行わず、次回以降の前記遊技進行割込み処理内で、先の前記遊技進行割込み処理内で変動開始を決定した前記変動表示に対応する変動パターンを決定して前記特別図柄の変動を開始させ、
遊技媒体が前記始動領域を通過しても、前記特別図柄変動開始条件が成立していない場合には前記特別図柄の変動を保留し、
前記特別図柄の作動状態を示す特図状態ステイタスのステイタス変更は、１回の前記遊技進行割込み処理で１回となっており、
前記演出制御手段は、
前記演出制御に基づく演出表示を行わせるための演出表示手段と接続され、前記演出表示には、前記特別図柄の変動が保留されていることを表す保留表示を含み、前記保留表示の態様を複数種類備え、
前記主制御手段により前記大当り抽選判定の結果が大当りとなった場合に、前記特別図柄表示手段に大当りを表す前記特別図柄を表示し、通常よりも遊技者に有利な特別遊技を実行するぱちんこ遊技機。
【手続補正２】
【補正対象書類名】明細書
【補正対象項目名】０００５
【補正方法】変更
【補正の内容】
【０００５】
上記課題を解決するために本発明は、遊技に必要な電力の供給を行う電源手段（電源基板など）と、前記遊技を司る主制御手段（メイン基板など）と、前記主制御手段により制御される特別図柄表示手段（第１特別図柄表示装置、第２特別図柄表示装置など）と、前記主制御手段と通信可能に接続され、前記主制御手段からの演出に係る指令に基づいて前記遊技に伴う演出制御を実行する演出制御手段（サブメイン基板など）と、を備え、
前記主制御手段は、
前記電源手段からの電力の供給開始に伴い制御開始処理を実行する制御開始処理実行手段と、
遊技進行のための遊技進行割込み処理を所定の周期で実行する遊技進行割込み処理実行手段と、
遊技領域に発射された遊技媒体が前記遊技領域を流下して所定の始動領域を通過したことに基づき、前記遊技進行割込み処理において、大当り抽選に関係する乱数（特別図柄当りソフト乱数、ハードウエア乱数、特別図柄当り図柄乱数など）を取得する乱数取得手段と、大当り抽選判定を行う大当り判定手段と、を備え、
前記遊技進行割込み処理により、所定の特別図柄変動開始条件（先に発生していた始動入賞に対する特別図柄の変動が終了したことなど）が成立した場合に、前記特別図柄表示手段に、前記大当り抽選判定の結果を表す特別図柄の変動表示及び停止表示を行わせ、
前記特別図柄を変動開始させることを決定した前記遊技進行割込み処理内では、前記変動表示に係る変動パターンの決定を行わず、次回以降の前記遊技進行割込み処理内で、先の前記遊技進行割込み処理内で変動開始を決定した前記変動表示に対応する変動パターンを決定して前記特別図柄の変動を開始させ、
遊技媒体が前記始動領域を通過しても、前記特別図柄変動開始条件が成立していない場合には前記特別図柄の変動を保留し、
前記特別図柄の作動状態（変動待機、変動開始、変動中、停止図柄表示中など）を示す特図状態ステイタスのステイタス変更は、１回の前記遊技進行割込み処理で１回となっており、
前記演出制御手段は、
前記演出制御に基づく演出表示（装飾図柄、保留表示、及び、その他の表示など）を行わせるための演出表示手段（演出図柄表示装置など）と接続され、前記演出表示には、前記特別図柄の変動が保留されていることを表す保留表示を含み、前記保留表示の態様を複数種類備え、
前記主制御手段により前記大当り抽選判定の結果が大当りとなった場合に、前記特別図柄表示手段に大当りを表す前記特別図柄を表示し、通常よりも遊技者に有利な特別遊技を実行するぱちんこ遊技機である。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
遊技に必要な電力の供給を行う電源手段と、前記遊技を司る主制御手段と、前記主制御手段により制御される特別図柄表示手段と、前記主制御手段と通信可能に接続され、前記主制御手段からの演出に係る指令に基づいて前記遊技に伴う演出制御を実行する演出制御手段と、を備え、
前記主制御手段は、
遊技領域に発射された遊技媒体が前記遊技領域を流下して所定の始動領域を通過したことに基づき、大当り抽選に関係する乱数を取得する乱数取得手段と、大当り抽選判定を行う大当り判定手段と、を備え、
所定の特別図柄変動開始条件が成立した場合に、前記特別図柄表示手段に、前記大当り抽選判定の結果を表す特別図柄の変動表示及び停止表示を行わせ、
前記主制御手段により前記大当り抽選判定の結果が大当りとなった場合に、前記特別図柄表示手段に大当りを表す前記特別図柄を表示し、前記遊技領域に設けられた大入賞口を開放して、前記大入賞口に遊技媒体を入球可能とする特別遊技を実行し、
前記大入賞口内に特定領域を備え、前記特別遊技実行中に遊技媒体が前記特定領域を通過するか否かに応じて、前記特別遊技実行終了後の遊技状態を確変とするか否かが定まり、
前記特別遊技実行中に遊技媒体が前記特定領域を通過した場合、該特別遊技の終了に係る終了デモの時間が、所定の第１時間となり、
前記特別遊技実行中に遊技媒体が前記特定領域を通過しなかった場合、該特別遊技の終了に係る終了デモの時間が、前記第１時間とは異なる所定の第２時間となり、
決定された終了デモの時間が前記第１時間である場合は、前記第１時間に対応した終了デモ演出を実行し、決定された終了デモの時間が前記第２時間である場合は、前記第２時間に対応した終了デモ演出を実行するぱちんこ遊技機。
【手続補正２】
【補正対象書類名】明細書
【補正対象項目名】０００５
【補正方法】変更
【補正の内容】
【０００５】
上記課題を解決するために本発明は、遊技に必要な電力の供給を行う電源手段（電源基板など）と、前記遊技を司る主制御手段（メイン基板など）と、前記主制御手段により制御される特別図柄表示手段（第１特別図柄表示装置、第２特別図柄表示装置など）と、前記主制御手段と通信可能に接続され、前記主制御手段からの演出に係る指令に基づいて前記遊技に伴う演出制御を実行する演出制御手段（サブメイン基板など）と、を備え、
前記主制御手段は、
遊技領域に発射された遊技媒体が前記遊技領域を流下して所定の始動領域を通過したことに基づき、大当り抽選に関係する乱数（特別図柄当りソフト乱数、ハードウエア乱数、特別図柄当り図柄乱数など）を取得する乱数取得手段と、大当り抽選判定を行う大当り判定手段と、を備え、
所定の特別図柄変動開始条件（先に発生していた始動入賞に対する特別図柄の変動が終了したことなど）が成立した場合に、前記特別図柄表示手段に、前記大当り抽選判定の結果を表す特別図柄の変動表示及び停止表示を行わせ、
前記主制御手段により前記大当り抽選判定の結果が大当りとなった場合に、前記特別図柄表示手段に大当りを表す前記特別図柄を表示し、前記遊技領域に設けられた大入賞口を開放して、前記大入賞口に遊技媒体を入球可能とする特別遊技を実行し、
前記大入賞口内に特定領域を備え、前記特別遊技実行中に遊技媒体が前記特定領域を通過するか否かに応じて、前記特別遊技実行終了後の遊技状態を確変とするか否かが定まり、
前記特別遊技実行中に遊技媒体が前記特定領域を通過した場合、該特別遊技の終了に係る終了デモの時間が、所定の第１時間となり、
前記特別遊技実行中に遊技媒体が前記特定領域を通過しなかった場合、該特別遊技の終了に係る終了デモの時間が、前記第１時間とは異なる所定の第２時間となり、
決定された終了デモの時間が前記第１時間である場合は、前記第１時間に対応した終了デモ演出を実行し、決定された終了デモの時間が前記第２時間である場合は、前記第２時間に対応した終了デモ演出を実行するぱちんこ遊技機である。
【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
ベース部材と、
第２方向と直交する第１方向に揺動可能に前記ベース部材に支持されると共にシートが積載され、揺動して積載されたシートを保持する傾斜角度を変更するシート積載部と、を備えた、
ことを特徴とするシート積載装置。
【請求項２】
前記シート積載部は、前記第２方向の一端部に前記第２方向に傾斜した傾斜面を有する、
ことを特徴とする請求項１に記載のシート積載装置。
【請求項３】
前記シート積載部は、前記第１方向に揺動可能な第１シート積載板と、前記第２方向に前記第１シート積載板と並んで配設された第２シート積載板と、を有し、
前記第２シート積載板は、前記ベース部材に対して、前記第１方向に揺動可能で、かつ前記第１シート積載板とは独立して揺動可能に取付けられている、
ことを特徴とする請求項１に記載のシート積載装置。
【請求項４】
前記第１シート積載板は、前記第２方向の一端部に前記第２方向に傾斜した第１傾斜面を有している、
ことを特徴とする請求項３に記載のシート積載装置。
【請求項５】
前記ベース部材は、前記第２方向における前記第１シート積載板と前記第２シート積載板との間に配置され、前記第１方向に傾斜して傾斜部を有している、
ことを特徴とする請求項４に記載のシート積載装置。
【請求項６】
前記傾斜部は、前記第２方向から視て前記第１方向の位置が前記シート積載部の揺動中心と重なるように配置された頂部と、前記頂部を挟んで前記頂部から前記第１方向にそれぞれ下り傾斜する第１面及び第２面と、を有する、
ことを特徴とする請求項５に記載のシート積載装置。
【請求項７】
前記傾斜部は、その頂部の高さ位置が前記第１シート積載板の前記第１傾斜面の高さの範囲内に位置するように形成されている、
ことを特徴とする請求項５又は６に記載のシート積載装置。
【請求項８】
前記第２シート積載板は、前記第２方向の一端部に前記第２方向に傾斜した第２傾斜面を有している、
ことを特徴とする請求項４乃至７のいずれか１項に記載のシート積載装置。
【請求項９】
前記ベース部材は、前記第２方向の一端部側から他端部側に向かって高くなるように傾斜している、
ことを特徴とする請求項１乃至８のいずれか１項に記載のシート積載装置。
【請求項１０】
請求項１乃至９のいずれか１項に記載のシート積載装置と、
シートを給送する給送部と、
前記ベース部材を支持する昇降可能な支持部と、
前記支持部を駆動させる駆動機構と、を備えた、
ことを特徴とするシート給送装置。
【請求項１１】
前記第２方向は、前記給送部がシートを給送するシート給送方向であり、
前記第１方向は、前記シート給送方向に直交する幅方向である、
ことを特徴とする請求項１０に記載のシート給送装置。
【請求項１２】
シートの前記幅方向の両端を規制する幅方向規制部を備える、
ことを特徴とする請求項１１に記載のシート給送装置。
【請求項１３】
前記ベース部材は、前記支持部に着脱可能に設けられる、
ことを特徴とする請求項１０乃至１２のいずれか１項に記載のシート給送装置。
【請求項１４】
前記駆動機構は、前記支持部の前記ベース部材を支持する面を水平な状態で上昇可能に構成されている、
ことを特徴とする請求項１０乃至１３のいずれか１項に記載のシート給送装置。
【請求項１５】
請求項１乃至９のいずれか１項に記載のシート積載装置又は請求項１０乃至１４のいずれか１項に記載のシート給送装置と、
前記シート積載装置又は前記シート給送装置から給送されるシートに画像を形成可能な画像形成部と、を備えた、
ことを特徴とする画像形成装置。
【手続補正２】
【補正対象書類名】明細書
【補正対象項目名】発明の名称
【補正方法】変更
【補正の内容】
【発明の名称】シート積載装置、シート給送装置及び画像形成装置
【手続補正３】
【補正対象書類名】明細書
【補正対象項目名】０００１
【補正方法】変更
【補正の内容】
【０００１】
本発明は、シートを積載可能なシート積載装置並びにこれを備えるシート給送装置及び画像形成装置に関する。
【手続補正４】
【補正対象書類名】明細書
【補正対象項目名】０００７
【補正方法】変更
【補正の内容】
【０００７】
そこで、本発明は、好適にシートを積載可能なシート積載装置並びにこれを備えるシート給送装置及び画像形成装置を提供することを目的とする。
【手続補正５】
【補正対象書類名】明細書
【補正対象項目名】０００８
【補正方法】変更
【補正の内容】
【０００８】
本発明は、シート積載装置において、ベース部材と、第２方向と直交する第１方向に揺動可能に前記ベース部材に支持されると共にシートが積載され、揺動して積載されたシートを保持する傾斜角度を変更するシート積載部と、を備えた、ことを特徴とする。
【手続補正６】
【補正対象書類名】明細書
【補正対象項目名】０００９
【補正方法】変更
【補正の内容】
【０００９】
本発明によれば、例えば厚さが異なるシートを給送する場合においても、好適にシートを積載可能なシート積載装置並びにこれを備えるシート給送装置及び画像形成装置を提供することができる。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられ、遊技球の入球が、通常遊技より遊技者に有利な状態である特別遊技への移行の可否を判定するための当否判定の契機となる始動入賞口と、
前記当否判定の結果を示すための図柄が変動表示される図柄表示装置と、
前記当否判定の結果を示すための演出が表示される演出表示装置と、
前記当否判定を含む遊技の基本動作を主に制御する主制御装置と、
前記当否判定の結果を示すための表示処理を含む遊技の演出的動作を主に制御する副制御装置と、
を備える弾球遊技機であって、
前記主制御装置は、
所定の時間ごとに実行される割込み処理を制御する割込み制御手段を備え、
前記副制御装置は、
前記演出として、複数の装飾図柄の変動表示の態様を決定する演出決定手段と、
前記演出決定手段により決定された態様にて、前記複数の装飾図柄の変動表示を前記演出表示装置に表示させる演出表示制御手段と、を備え、
前記割込み処理は、
前記図柄の変動表示を開始できる状態か否かを判定するための判定処理と、
前記図柄の変動開始に係る処理と、
を含み、
ある割込み処理における前記判定処理において前記図柄の変動表示を開始できる状態であると判定された場合には、その割込み処理において前記図柄の変動開始に係る処理を実行せず、その割込み処理よりも後の割込み処理において前記図柄の変動開始に係る処理を実行する弾球遊技機。
【手続補正２】
【補正対象書類名】明細書
【補正対象項目名】０００６
【補正方法】変更
【補正の内容】
【０００６】
上記課題を解決するために、本発明のある態様の弾球遊技機は、遊技領域が形成された遊技盤と、遊技領域の所定位置に設けられ、遊技球の入球が、通常遊技より遊技者に有利な状態である特別遊技への移行の可否を判定するための当否判定の契機となる始動入賞口と、当否判定の結果を示すための図柄が変動表示される図柄表示装置と、当否判定の結果を示すための演出が表示される演出表示装置と、当否判定を含む遊技の基本動作を主に制御する主制御装置と、当否判定の結果を示すための表示処理を含む遊技の演出的動作を主に制御する副制御装置と、を備える弾球遊技機であって、主制御装置は、所定の時間ごとに実行される割込み処理を制御する割込み制御手段を備える。副制御装置は、演出として、複数の装飾図柄の変動表示の態様を決定する演出決定手段と、演出決定手段により決定された態様にて、複数の装飾図柄の変動表示を演出表示装置に表示させる演出表示制御手段と、を備える。割込み処理は、図柄の変動表示を開始できる状態か否かを判定するための判定処理と、図柄の変動開始に係る処理と、を含む。ある割込み処理における判定処理において図柄の変動表示を開始できる状態であると判定された場合には、その割込み処理において図柄の変動開始に係る処理を実行せず、その割込み処理よりも後の割込み処理において図柄の変動開始に係る処理を実行する。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
遊技領域が形成された遊技盤と、
前記遊技領域の所定位置に設けられ、遊技球の入球が、通常遊技より遊技者に有利な状態である特別遊技への移行の可否を判定するための当否判定の契機となる始動入賞口と、
前記当否判定の結果を示すための図柄が変動表示される図柄表示装置と、
前記当否判定の結果が当りとなった場合に実行される特別遊技において拡開される大入賞口と、
前記大入賞口に設けられた特定領域と、
前記当否判定の結果を示すための演出が表示される演出表示装置と、
前記当否判定を含む遊技の基本動作を主に制御する主制御装置と、
前記当否判定の結果を示すための表示処理を含む遊技の演出的動作を主に制御する副制御装置と、
を備える弾球遊技機であって、
前記主制御装置は、
前記特別遊技の実行を制御する特別遊技制御手段を備え、
前記副制御装置は、
前記演出として、複数の装飾図柄の変動表示の態様を決定する演出決定手段と、
前記演出決定手段により決定された態様にて、前記複数の装飾図柄の変動表示を前記演出表示装置に表示させる演出表示制御手段と、を備え、
特別遊技中の前記特定領域への入球の有無に応じて、特別遊技の終了デモ時間が異なる弾球遊技機。
【手続補正２】
【補正対象書類名】明細書
【補正対象項目名】０００４
【補正方法】変更
【補正の内容】
【０００４】
弾球遊技機においては、上記のような通常遊技中に実行される演出のほかに、特別遊技中にも演出が実行される。特別遊技は、例えば、開始デモ時間と呼ばれる演出画面の表示によって開始され、単位遊技が所定回数繰り返された後、終了デモ時間と呼ばれる演出画面の表示によって終了される。このような特別遊技中に実行される演出においても効果的な演出を実現する技術が求められる。
【手続補正３】
【補正対象書類名】明細書
【補正対象項目名】０００６
【補正方法】変更
【補正の内容】
【０００６】
上記課題を解決するために、本発明のある態様の弾球遊技機は、遊技領域が形成された遊技盤と、遊技領域の所定位置に設けられ、遊技球の入球が、通常遊技より遊技者に有利な状態である特別遊技への移行の可否を判定するための当否判定の契機となる始動入賞口と、当否判定の結果を示すための図柄が変動表示される図柄表示装置と、当否判定の結果が当りとなった場合に実行される特別遊技において拡開される大入賞口と、大入賞口に設けられた特定領域と、当否判定の結果を示すための演出が表示される演出表示装置と、当否判定を含む遊技の基本動作を主に制御する主制御装置と、当否判定の結果を示すための表示処理を含む遊技の演出的動作を主に制御する副制御装置と、を備える弾球遊技機であって、主制御装置は、特別遊技の実行を制御する特別遊技制御手段を備える。副制御装置は、演出として、複数の装飾図柄の変動表示の態様を決定する演出決定手段と、演出決定手段により決定された態様にて、複数の装飾図柄の変動表示を演出表示装置に表示させる演出表示制御手段と、を備える。特別遊技中の特定領域への入球の有無に応じて、特別遊技の終了デモ時間が異なる。
【手続補正４】
【補正対象書類名】明細書
【補正対象項目名】０００７
【補正方法】変更
【補正の内容】
【０００７】
この態様によると、特別遊技中の特定領域への入球の有無に応じて異なる終了デモ時間にて演出を実行することができるので、特別遊技中においても効果的な演出を実現することができる。